(57)【特許請求の範囲】
【請求項１】
室内熱交換器と、
室内ファンと、
前記室内ファンを清掃するファン清掃部と、
前記ファン清掃部を支持する軸受け部とを備え、
前記室内ファンのファンブレードの前記ファン清掃部と接触する外側端部は、先端が凹凸している凹凸形状が長手方向に連続的に形成されていて、
前記ファン清掃部と前記軸受け部との間には前記室内ファンの長手方向に空間があり、
前記ファン清掃部は、前記空間の範囲内で前記室内ファンの長手方向に所定距離だけ移動自在に前記軸受け部に支持される空気調和機。
【請求項２】
前記凹凸形状は、先端縁表面が凹の部分よりも凸の部分に曲率が大きい部分を含む請求項１に記載の空気調和機。
【請求項３】
前記凹凸形状は、前記凸の部分に角部が形成されていて当該角部の曲率が前記凹の部分より大きい請求項２に記載の空気調和機。
【請求項４】
前記凹凸形状は、凸の部分の側部における先端縁表面の面方向が前記ファンブレードの長手方向と鋭角又は鈍角をなしている請求項１に記載の空気調和機。
【発明の詳細な説明】
【技術分野】
【０００１】
本発明は、空気調和機に関する。
【背景技術】
【０００２】
本技術分野の背景技術として、特開２００７−７１２１０号公報（特許４０４６７５５号の公開公報）（特許文献１）がある。この公報には、「流体送り装置のファンケーシング部にファンに付着する塵埃を除去するための可動式のファン清掃装置が設置されている」と記載されている（要約参照）。
【先行技術文献】
【特許文献】
【０００３】
【特許文献１】特開２００７−７１２１０号公報
【発明の概要】
【発明が解決しようとする課題】
【０００４】
前記特許文献１には、ファン清掃装置と清掃装置を制御する制御装置とが開示されている。制御装置による動作には、調和空気を室内に吹出す通常運転モードと、ファンを低速で回転させるとともにファン清掃装置を可動するファン清掃運転モードとが存在する。ファン清掃装置は先端にファン清掃部を含み、ファン清掃運転モード時にはファン清掃部を退避させる位置に可動する。【０００５】
しかし、ファン清掃部とその保持部によって構成されるファン清掃装置において、清掃はファンの清掃部が干渉可能な部分についてのみ行われるため、ファンの清掃部が干渉できないファンの部分に堆積した塵埃は除去することが困難である。
そこで、本発明は、室内ファンをファン清掃部によって従来に比べて効果的に清掃できる空気調和機を提供することを課題とする。
【課題を解決するための手段】
【０００６】
上記課題を解決するため、本発明の一形態である空気調和機は、室内熱交換器と、室内ファンと、前記室内ファンを清掃するファン清掃部と、前記ファン清掃部を支持する軸受け部とを備え、前記室内ファンのファンブレードの前記ファン清掃部と接触する外側端部は、先端が凹凸している凹凸形状が長手方向に連続的に形成されていて、前記ファン清掃部と前記軸受け部との間には前記室内ファンの長手方向に空間があり、前記ファン清掃部は、前記空間の範囲内で前記室内ファンの長手方向に所定距離だけ移動自在に前記軸受け部に支持される。
【発明の効果】
【０００７】
本発明によれば、室内ファンをファン清掃部によって従来に比べて効果的に清掃できる空気調和機を提供することができる。
上記した以外の課題、構成及び効果は、以下の実施例の説明により明らかにされる。
【図面の簡単な説明】
【０００８】
【図１】本発明の一実施例に係る空気調和機の冷媒回路の系統図である。
【図２】本発明の一実施例に係る空気調和機の室内機の縦断面図である。
【図３】本発明の一実施例に係る空気調和機の室内機の一部を切り欠いた斜視図である。
【図４】本発明の一実施例に係る空気調和機の制御系を示す機能ブロック図である。
【図５】本発明の一実施例に係る空気調和機における室内ファンの複数枚のファンブレードにおける外側端部部分の一部の拡大斜視図である。
【図６】本発明の一実施例に係る空気調和機の１枚のファンブレードにおける外側端部の一部を斜め上側から視た斜視図である。
【図７】本発明の一実施例に係る空気調和機の１枚のファンブレードの他の例における外側端部の一部を斜め上側から視た斜視図である。
【図８】本発明の一実施例に係る空気調和機の他の構成例である室内ファンにおける複数枚のファンブレードの一部の拡大斜視図である。
【図９】（ａ）は、本発明の一実施例に係る空気調和機の他の構成例である室内ファンにおける複数枚のファンブレードの一部の拡大斜視図である。（ｂ）は、同１枚のファンブレードの上面図である。
【図１０】本発明の一実施例に係る空気調和機のファンブレードとファン清掃部との当接状況を示す斜視図である。
【図１１】本発明の一実施例に係る空気調和機のファン清掃装置支持軸の支持構造を示す概念図である。
【図１２】本発明の一実施例に係る空気調和機の先端が波形形状をしている例を示すファンブレードの一部の斜視図である。
【図１３】本発明の一実施例に係る空気調和機の制御部が実行する処理のフローチャートである。
【図１４Ａ】本発明の一実施例に係る空気調和機における室内ファンの清掃中の状態を示す説明図である。
【図１４Ｂ】本発明の一実施例に係る空気調和機における室内熱交換器１５の解凍中の状態を示す説明図である。
【図１５】本発明の一実施例に係る空気調和機の回転速度制御部が実行する処理を説明するフローチャートである。
【図１６】本発明の一実施例の変形例に係る空気調和機の室内機の縦断面図である。
【図１７】本発明の一実施例の別の変形例に係る空気調和機が備える室内ファン及びファン清掃部の模式的な斜視図である。
【発明を実施するための形態】
【０００９】
以下、本発明の実施例について図面を用いて説明する。
図１は、本実施例に係る空気調和機１００の冷媒回路Ｑの系統図である。なお、図１の実線矢印は、暖房運転時における冷媒の流れを示している。また、図１の破線矢印は、冷房運転時における冷媒の流れを示している。
図１に示すように、空気調和機１００は、圧縮機１１と、室外熱交換器１２と、室外ファン１３と、膨張弁１４と、を備えている。また、空気調和機１００は、前記した構成の他に、室内熱交換器１５と、室内ファン１６と、四方弁１７と、を備えている。
【００１０】
圧縮機１１は、圧縮機モータ１１ａの駆動によって、低温低圧のガス冷媒を圧縮し、高温高圧のガス冷媒として吐出する機器である。
室外熱交換器１２は、その伝熱管（図示せず）を通流する冷媒と、室外ファン１３から送り込まれる外気との間で熱交換を行う熱交換器である。
室外ファン１３は、室外ファンモータ１３ａの駆動によって、室外熱交換器１２に外気を送り込むファンであり、室外熱交換器１２の近傍に設置されている。
【００１１】
膨張弁１４は、「凝縮器」（空調運転の種類に応じて室外熱交換器１２及び室内熱交換器１５の一方）で凝縮した冷媒を減圧する弁である。なお、膨張弁１４において減圧された冷媒は、「蒸発器」（空調運転の種類に応じて室外熱交換器１２及び室内熱交換器１５の他方）に導かれる。
室内熱交換器１５は、その伝熱管ｇ（図２参照）を通流する冷媒と、室内ファン１６から送り込まれる室内空気（空調対象空間の空気）との間で熱交換を行う熱交換器である。
室内ファン１６は、室内ファンモータ１６ｃ（図４参照）の駆動によって、室内熱交換器１５に室内空気を送り込むファンであり、室内熱交換器１５の近傍に設置されている。より詳しく説明すると、室内ファン１６が正回転している場合の空気の流れにおいて、室内ファン１６は室内熱交換器１５の下流側に設置されている。
【００１２】
四方弁１７は、空気調和機１００の運転モードに応じて、冷媒の流路を切り替える弁である。例えば、冷房運転時（図１の破線矢印を参照）には、圧縮機１１、室外熱交換器１２（凝縮器）、膨張弁１４、及び室内熱交換器１５（蒸発器）が、四方弁１７を介して環状に順次接続されてなる冷媒回路Ｑにおいて、冷凍サイクルで冷媒が循環する。
一方、暖房運転時（図１の実線矢印を参照）には、圧縮機１１、室内熱交換器１５（凝縮器）、膨張弁１４、及び室外熱交換器１２（蒸発器）が、四方弁１７を介して環状に順次接続されてなる冷媒回路Ｑにおいて、冷凍サイクルで冷媒が循環する。
なお、図１に示す例では、圧縮機１１、室外熱交換器１２、室外ファン１３、膨張弁１４、及び四方弁１７が、室外機Ｕｏに設置されている。一方、室内熱交換器１５及び室内ファン１６は、室内機Ｕｉに設置されている。
【００１３】
図２は、室内機Ｕｉの縦断面図である。なお、図２では、ファン清掃装置２４による室内ファン１６の清掃が行われていない状態を図示している。室内機Ｕｉは、前記した室内熱交換器１５や室内ファン１６の他に、露受皿１８と、筐体ベース１９と、フィルタ２０ａ，２０ｂと、前面パネル２１と、左右風向板２２と、上下風向板２３と、ファン清掃装置２４とを備えている。
【００１４】
室内熱交換器１５は、複数枚のフィンｆと、それらのフィンｆを貫通する複数本の伝熱管ｇとを有している。また、別の観点から説明すると、室内熱交換器１５は、前側室内熱交換器１５ａと、後側室内熱交換器１５ｂとを有している。前側室内熱交換器１５ａは、室内ファン１６の前側（室内側）に配置されている。一方、後側室内熱交換器１５ｂは、室内ファン１６の後側（壁側）に配置されている。そして、前側室内熱交換器１５ａの上端部と、後側室内熱交換器１５ｂの上端部とが接続されている。
【００１５】
露受皿１８は、室内熱交換器１５の凝縮水を受けるものであり、室内熱交換器１５（図２に示す例では、前側室内熱交換器１５ａ）の下方に配置されている。
室内ファン１６は、例えば、円筒状のクロスフローファンであり、室内熱交換器１５の付近に配置されている。室内ファン１６は、複数のファンブレード５０と、これらのファンブレード５０が設置される仕切板１６ａと、駆動源である室内ファンモータ１６ｃ（図４参照）とを備えている。
【００１６】
なお、室内ファン１６は、親水性のコーティング剤でコーティングされていることが好ましい。このようなコーティング材として、例えば、親水性材料であるイソプロピルアルコール分散シリカゾルに、バインダー（加水分解性基を有するケイ素化合物）、ブタノール、テトラヒドロフラン、及び抗菌剤を添加したものを用いてもよい。
【００１７】
これによって、室内ファン１６の表面に親水性膜が形成されるため、室内ファン１６の表面の電気抵抗値が小さくなり、室内ファン１６に塵埃が付着しにくくなる。つまり、室内ファン１６の駆動中、空気との摩擦に伴う静電気が室内ファン１６の表面に生じにくくなるため、室内ファン１６への塵埃の付着を抑制できる。このように、前記したコーティング剤は、室内ファン１６の帯電防止剤としても機能する。
【００１８】
図２に示す筐体ベース１９は、室内熱交換器１５や室内ファン１６等の機器が設置される筐体である。
フィルタ２０ａは、前側の空気吸込口ｈ１に向かう空気から塵埃を除去するものであり、室内熱交換器１５の前側に設置されている。
フィルタ２０ｂは、上側の空気吸込口ｈ２に向かう空気から塵埃を除去するものであり、室内熱交換器１５の上側に設置されている。
【００１９】
前面パネル２１は、前側のフィルタ２０ａを覆うように設置されるパネルであり、下端に回転軸（図示せず）が設けられていて前側に回動可能になっている。なお、前面パネル２１が回動しない構成であってもよい。
左右風向板２２は、室内ファン１６の回転に伴って室内に吹き出される空気の左右方向の流れを調整する板状部材である。左右風向板２２は、吹出風路ｈ３に配置され、左右風向板用モータ２５（図５参照）によって左右方向に回動するようになっている。
【００２０】
上下風向板２３は、室内ファン１６の回転に伴って室内に吹き出される空気の上下方向の流れを調整する板状部材である。上下風向板２３は、空気吹出口ｈ４の近傍に配置され、上下風向板用モータ２６（図５参照）によって上下方向に回動するようになっている。
空気吸込口ｈ１，ｈ２を介して吸い込まれた空気は、室内熱交換器１５の伝熱管ｇを通流する冷媒と熱交換し、熱交換した空気が吹出風路ｈ３に導かれる。この吹出風路ｈ３を通流する空気は、左右風向板２２及び上下風向板２３によって所定方向に導かれ、さらに、空気吹出口ｈ４を介して室内に吹き出される。
【００２１】
なお、空気の流れに伴って空気吸込口ｈ１，ｈ２に向かう塵埃の多くは、フィルタ２０ａ，２０ｂで捕集される。しかしながら、細かい塵埃がフィルタ２０ａ，２０ｂを通り抜けて、室内熱交換器１５や室内ファン１６に付着することがある。したがって、室内熱交換器１５や室内ファン１６を定期的に清掃することが望ましい。そこで、本実施例では、次に説明するファン清掃装置２４を用いて室内ファン１６を清掃した後、室内熱交換器１５を水で洗い流すようにしている。
【００２２】
図２に示すファン清掃装置２４は、室内ファン１６を清掃するものであり、室内熱交換器１５と室内ファン１６との間に配置されている。より詳しく説明すると、縦断面視で＜字状を呈する前側室内熱交換器１５ａの凹部ｒよりも室内ファン１６側の位置に、ファン清掃装置２４が配置されている。図２に示す例では、ファン清掃装置２４の下方に、室内熱交換器１５（前側室内熱交換器１５ａの下部）が存在するとともに、露受皿１８が存在している。
【００２３】
図３は、室内機Ｕｉの一部を切り欠いた斜視図である。ファン清掃装置２４は、図３に示す支持軸２４ａ及びファン清掃部２４ｂの他に、ファン清掃用モータ２４ｃ（図４参照）を備えている。支持軸２４ａは、室内ファン１６の軸方向に平行な軸状の部材であり、その両端は軸支されている（図３で図示せず）。
【００２４】
ファン清掃部２４ｂは、ファンブレード５０に付着した塵埃を除去するものであり、支持軸２４ａに基端部が支持されている。ファン清掃部２４ｂは、ブラシや、ゴム製で可撓性のブレード等で構成することができる。すなわち、ファン清掃部２４ｂは、ファンブレード５０に付着した塵埃を掻き落とすことができる部材であれば様々な部材を用いてよい。
ファン清掃用モータ２４ｃ（図４参照）は、例えば、ステッピングモータであり、支持軸２４ａを所定角度だけ回転させる機能を有している。
【００２５】
ファン清掃装置２４によって室内ファン１６を清掃する際には、室内ファン１６にファン清掃部２４ｂが接触するように（図１４Ａ参照）、ファン清掃用モータ２４ｃ（図４参照）が駆動されるとともに、室内ファン１６が逆回転される。そして、ファン清掃装置２４による室内ファン１６の清掃が終了すると、ファン清掃用モータ２４ｃが再び駆動されてファン清掃部２４ｂが回動し、室内ファン１６からファン清掃部２４ｂが離間した状態になる（図２参照）。
【００２６】
本実施例では、室内ファン１６の清掃時以外では、図２、図３に示すように、ファン清掃部２４ｂの先端が鉛直下方を向くようにしている。具体的には、室内ファン１６の清掃時以外（通常の空調運転中も含む）では、ファン清掃部２４ｂの先端が略鉛直下方を向いた状態で、室内ファン１６から離間している。なお、室内ファン１６の清掃時以外では、ファン清掃部２４ｂの先端が鉛直下方を向くことに限定されない。例えば、ファン清掃部２４ｂの先端が前側室内熱交換器１５ａに向かって長手方向を略水平として位置していてもよい。あるいは、ファン清掃部２４ｂの長手方向が鉛直上下方向と鋭角をなすように位置してもよい。この場合、ファン清掃部２４ｂの先端側が前側室内熱交換器１５ａ側に寄っていても、室内ファン１６側に寄っていてもよい。以下では、室内ファン１６の清掃時以外では、ファン清掃部２４ｂの先端が略鉛直下方を向いた状態で、室内ファン１６から離間しているとして説明する。
【００２７】
図４は、空気調和機１００の制御系を示す機能ブロック図である。図４に示す室内機Ｕｉは、前記した構成の他に、リモコン送受信部２７と、室内制御回路３１と、を備えている。
リモコン送受信部２７は、リモコン４０との間で所定の情報をやり取りする。
【００２８】
室内制御回路３１は、図示はしないが、ＣＰＵ（Central Processing Unit）、ＲＯＭ（Read Only Memory）、ＲＡＭ（Random Access Memory）、各種インタフェース等の電子回路を含んで構成されている。そして、ＲＯＭに記憶されたプログラムを読み出してＲＡＭに展開し、ＣＰＵが各種処理を実行するようになっている。
図４に示すように、室内制御回路３１は、記憶部３１ａと、室内制御部３１ｂと、を備えている。
【００２９】
記憶部３１ａには、所定のプログラムの他、リモコン送受信部２７を介して受信したデータや、各種センサ（図示せず）の検出値等が記憶される。
室内制御部３１ｂは、記憶部３１ａに記憶されたデータに基づいて、ファン清掃用モータ２４ｃ、室内ファンモータ１６ｃ、左右風向板用モータ２５、上下風向板用モータ２６等を制御する。
【００３０】
室外機Ｕｏは、前記した構成の他に、室外制御回路３２を備えている。室外制御回路３２は、図示はしないが、ＣＰＵ、ＲＯＭ、ＲＡＭ、各種インタフェース等の電子回路を含んで構成され、通信線を介して室内制御回路３１に接続されている。図４に示すように、室外制御回路３２は、記憶部３２ａと、室外制御部３２ｂとを備えている。
【００３１】
記憶部３２ａには、所定のプログラムの他、室内制御回路３１から受信したデータ等が記憶される。室外制御部３２ｂは、記憶部３２ａに記憶されたデータに基づいて、圧縮機モータ１１ａ、室外ファンモータ１３ａ、膨張弁１４等を制御する。以下では、室内制御回路３１及び室外制御回路３２を一括して「制御部３０」という。
【００３２】
ところで、前記した特許文献１には、ファン清掃装置と清掃装置を制御する制御装置とが開示されている。制御装置による動作には、調和空気を室内に吹出す通常運転モードと、ファンを低速で回転させるとともにファン清掃装置を可動するファン清掃運転モードとが存在する。ファン清掃装置は先端にファン清掃部を含み、ファン清掃運転モード時にはファン清掃部を退避させる位置に可動する。
しかし、ファン清掃部とその保持部によって構成されるファン清掃装置において、清掃はファンの清掃部が干渉可能な部分についてのみ行われるため、ファン清掃部が干渉できないファンの部分に堆積した塵埃は除去することが困難である。
【００３３】
本実施例の空気調和機１００においても、ファン清掃部２４ｂが接触するのは円筒状の室内ファン１６における各ファンブレード５０の外側端部５０ａ（図２参照）に限られる。各ファンブレード５０の内側５０ｋ（図２参照）にまでファン清掃部２４ｂが入り込んで各ファンブレード５０に付着した塵埃を掻き落とすことはできない。
【００３４】
そこで、本実施例では、各ファンブレード５０の外側端部５０ａの構造等を工夫した。これにより、本実施例では、室内ファン１６に侵入してくる塵埃を、極力、各ファンブレード５０の外側端部５０ａに集中させること等によって、従来に比べて効果的に室内ファン１６を清掃できるようにした。以下では、係る構成について説明する。
【００３５】
図５は、室内ファン１６の複数枚のファンブレード５０における外側端部５０ａ部分の一部の拡大斜視図である。矢印ａは、ファンブレード５０の長手方向を示す。矢印ｂは、室内ファン１６の回転方向を示す。
図６は、１枚のファンブレード５０における外側端部５０ａの一部を斜め上側から視た斜視図である。
【００３６】
まず、室内ファン１６のファンブレード５０のファン清掃部２４ｂと接触する外側端部５０ａは、先端５０ｂが凹凸している凹凸形状５０ｃが長手方向（矢印ａ方向）に連続的に形成されている。図５、図６の例に示す凹凸形状５０ｃは比較的角ばっているが、凹凸形状５０ｃを波形、のこぎり形に凹凸させるなど、様々な凹凸形状とすることができる。
【００３７】
この凹凸形状５０ｃは、先端縁表面５０ｄが、凹の部分５０ｅよりも曲率が大きい部分を凸の部分５０ｆに含んでいるようにしてもよい。図６の例で具体的に説明すると、凹凸形状５０ｃは、凹凸形状５０ｃの一つの凸の部分５０ｆで各２つの角部５０ｇが形成されている。一方、凹の部分５０ｅは略円弧形状である。この凸の部分５０ｆと凹の部分５０ｅとの形状の違いにより、凹凸形状５０ｃは、先端表面５０ｄが、凹の部分５０ｅよりも曲率が大きい部分を凸の部分５０ｆに含んでいる。
【００３８】
また、図６に示すように、外側端部５０ａの表面粗さはファンブレード５０の他の部分（内側５０ｋ）における表面粗さより粗いようにしてもよい。具体的には、図６の例では、細かな凸部５０ｈが外側端部５０ａの表面全体に形成されていて、これに対して、内側５０ｋには、凹凸がほとんどないため、外側端部５０ａの表面粗さは内側５０ｋにおける表面粗さより粗くなっている。なお、図７に示すように、細かな凸部５０ｈの代わりにディンプル５０ｉを外側端部５０ａに複数形成するようにしてもよいし、外側端部５０ａの表面粗さを高める手段としては、様々な手段を用いることができる。また、図６、図７の例では、細かな凸部５０ｈやディンプル５０ｉをファンブレード５０の側面のみに図示しているが、先端縁表面５０ｄに形成してよいのは言うまでもない。
【００３９】
図８は、他の構成例である室内ファン１６における複数枚のファンブレード５０の一部の拡大斜視図である。図８に示すように、室内ファン１６の各ファンブレード５０は回転方向（矢印ｂ方向）に隣り合うもの同士で凹凸形状５０ｃが回転方向（矢印ｂ方向）に視てファンブレード５０の長手方向にずれているようにしてもよい。図８の例では、室内ファン１６におけるファンブレード５０の並びの凹凸形状５０ｃを矢印ｂ方向に視ていくと、凹の部分５０ｅが出現した隣には凸の部分５０ｆが出現し、さらに隣には再度凹の部分５０ｅが出現する。つまり、凹の部分５０ｅと凸の部分５０ｆが交互に出現する。図８の例では、凹凸形状５０ｃが回転方向（矢印ｂ方向）に視てファンブレード５０の長手方向に完全にずれている。しかし、これを部分的にずれているようにしてもよい。すなわち、凹凸形状５０ｃを矢印ｂ方向に視て、隣り合うファンブレード５０同士で、凹の部分５０ｅが一部だけ重なっていてもよいし、凸の部分５０ｆが一部だけ重なっていてもよい。
【００４０】
さらに、隣り合うファンブレード５０同士で必ず凹凸形状５０ｃがファンブレード５０の長手方向にずれていなくてもよい。すなわち、連続して隣り合うファンブレード５０（例えば、２枚とか３枚とか）では凹凸形状５０ｃがファンブレード５０の長手方向に一致していてよい。そして、次の連続して隣り合うファンブレード５０（例えば、２枚とか３枚とか）になると、凹凸形状５０ｃがファンブレード５０の長手方向にずれているようにしてよい。
【００４１】
図９（ａ）は、本発明の一実施例に係る空気調和機の他の構成例である室内ファンにおける複数枚のファンブレードの一部の拡大斜視図である。図９（ｂ）は、同１枚のファンブレードの上面図である。図９に示すように、凹凸形状５０ｃは、凸の部分５０ｆの側部５０ｊにおける先端縁表面５０ｄの面方向がファンブレード５０の長手方向と鋭角又は鈍角をなしているようにしてもよい。図９の例では、側部５０ｊにおける先端縁表面５０ｄの面方向がファンブレード５０の長手方向と鋭角θをなしている。
【００４２】
図１０は、ファンブレード５０とファン清掃部２４ｂとの当接状況を示す斜視図である。図１０に示すように、ファン清掃部２４ｂは、その先端２４ｂ１が凹凸形状５０ｃにおける凹の部分５０ｅの少なくとも下端（破線ｃで示す）まで届くようにすることが望ましい。図１０の例では、ファン清掃部２４ｂは、その先端２４ａ１が凹の部分５０ｅの破線ｃで示す下端よりも更にファンブレード５０の内側５０ｋまで届いている例を示している。
【００４３】
図１１は、ファン清掃装置２４の支持軸２４ａの支持構造を示す概念図である。ファン清掃装置２４の支持軸２４ａの両端は、空気調和機１００の筐体ベース１９の所定位置に設けられた一対の軸受け部材２４ｄにそれぞれ回転自在に軸支されている。また、この軸受け部材２４ｄ内には符号ｄで示す遊びがあり、支持軸２４ａ、ひいてはファン清掃部２４ｂは、この遊びの範囲で所定距離だけ室内ファン１６の長手方向に移動自在に軸受け部材２４ｄに支持されていてもよい。
【００４４】
図１２は、先端が波形形状をしている例を示すファンブレード５０の一部の斜視図である。すなわち、前記した通り、ファンブレード５０の外側端部５０ａ部分が図５以下の例とは異なり、角ばった形状をしていなくて、図１２のように波形形状をしていてもよい。外側端部５０ａ部分の表面にはファンブレード５０の長手方向と略直交する方向を長さ方向とする複数本の凹溝５０ｌが形成されている。
【００４５】
なお、図５〜図１０に示す各例でも、各凸の部分５０ｆの先端縁表面５０ｄをつなげていくと、図６に破線ｅで示すように、波形形状をしている。
図４に戻り、室内制御部３１ｂは、回転速度制御部３１ｂ１を備えている。回転速度制御部３１ｂ１は、ファン清掃装置２４で清掃を行うときに、室内ファンモータ１６ｃの回転速度を制御する（後述する）。
【００４６】
次に、空気調和機１００の作用効果について説明する。
図１３は、制御部３０が実行する処理のフローチャートである（適宜、図２を参照）。なお、図１３の「ＳＴＡＲＴ」時には空調運転が行われておらず、また、ファン清掃部２４ｂの先端が略鉛直下方を向いた状態（図２、図３に示す状態）にあるものとする。
図１３のステップＳ１０１において制御部３０は、ファン清掃装置２４によって、室内ファン１６を清掃する。なお、室内ファン１６の清掃を開始するトリガとして、例えば、前回清掃時からの空調運転の積算時間が所定時間に達するという条件が挙げられる。
【００４７】
図１４Ａは、室内ファン１６の清掃中の状態を示す説明図である。なお、図１４Ａでは、室内熱交換器１５、室内ファン１６、及び露受皿１８を図示し、他の部材については図示を省略している。
制御部３０は、ファン清掃部２４ｂを室内ファン１６に接触させ、通常の空調運転時とは逆向きに室内ファン１６を回転（逆回転）させる。
つまり、制御部３０は、ファン清掃部２４ｂの先端が鉛直下方を向いた状態（図２、図３参照）から、支持軸２４ａを中心に約９０°回動させ、ファン清掃部２４ｂの先端が室内ファン１６に臨むようにする（図１４Ａ参照）。これによって、室内ファン１６のファンブレード５０にファン清掃部２４ｂが接触する。
【００４８】
なお、図１４Ａの例では、一点鎖線Ｌで示すように、ファン清掃部２４ｂが室内ファン１６に接触した状態での接触位置Ｋの下方に、室内熱交換器１５（前側室内熱交換器１５ａ）が存在するとともに、露受皿１８も存在している。
室内ファン１６は逆回転しているため、ファンブレード５０の移動に伴ってファン清掃部２４ｂの先端がたわみ、ファンブレード５０の背面をなでるようにファン清掃部２４ｂが押し付けられる。そして、ファンブレード５０の外側端部５０ａ（径方向の端部）に溜まった塵埃が、ファン清掃部２４ｂによって除去される。
【００４９】
本実施例では、前記したように、ファンブレード５０にファン清掃部２４ｂを接触させ、室内ファン１６を逆回転させるようにしている。これによって、ファンブレード５０の背面の外側端部５０ａにファン清掃部２４ｂが接触し、ファンブレード５０の腹・背面の両方の外側端部５０ａに溜まった塵埃が、一体となって除去される。
【００５０】
ここで、室内ファン１６内には、細かな糸屑等の塵埃が侵入する。そして、ファンブレード５０に当該塵埃が付着するのをファン清掃部２４ｂで清掃するわけだが、ファン清掃部２４ｂはファンブレード５０の表面全体に届くわけではない。ファンブレード５０のファン清掃部２４ｂが届かない部分も極力塵埃が付着しないようにしたい。
【００５１】
そこで、図５、図６に示すように、本実施例では、ファンブレード５０のファン清掃部２４ｂと接触する外側端部５０ａは次のような構成とした。すなわち、ファンブレード５０の先端５０ｂが凹凸している凹凸形状５０ｃが長手方向（矢印ａ方向）に連続的に形成されているようにした。これにより、室内ファン１６内に侵入する塵埃は多くが凹凸形状５０ｃに絡めとられ、相対的に、ファンブレード５０の内側５０ｋには付着しにくくなる。すなわち、室内ファン１６内に侵入する塵埃は、まず、ファンブレード５０の外側端部５０ａを通過する。そこで、外側端部５０ａに凹凸形状５０ｃを形成して、凹凸形状５０ｃにおいて極力多くの塵埃を絡め取るようにする。よって、室内ファン１６内に侵入する塵埃は多くをファン清掃部２４ｂで除去することが可能となって、ファンブレード５０のファン清掃部２４ｂが届かない部分も効果的に清掃することができる。
【００５２】
前記のとおり、凹凸形状５０ｃは、先端縁表面５０ｄが、凹の部分５０ｅよりも曲率が大きい部分を凸の部分５０ｆに含んでいるようにしている。これによって、凹の部分５０ｅよりも角ばった部分を含んでいる凸の部分５０ｆに塵埃が捕捉され易くなり、効果的に凹凸形状５０ｃを凹凸形状５０ｃで捕捉することが可能となる。
例えば、図６に示すように、凹凸形状５０ｃの凸の部分５０ｆに、一つの凸の部分５０ｆで各２つの角部５０ｇが形成されている。一方、凹の部分５０ｅは略円弧形状である。この角部５０ｇに塵埃が引っ掛かりやすくなって、効果的に塵埃を捕捉することが可能となる。
【００５３】
また、図６に示すように、外側端部５０ａの表面粗さはファンブレード５０の他の部分（内側５０ｋ）における表面粗さより粗くしている。すなわち、図６の例では、細かな凸部５０ｈが外側端部５０ａの表面全体に形成されていて、これに対して、内側５０ｋには、凹凸がほとんどないため、外側端部５０ａの表面粗さは内側５０ｋにおける表面粗さより粗くなっている。このように、ファンブレード５０の外側端部５０ａの表面粗さより粗くすることで、外側端部５０ａに塵埃が引っ掛かりやすくなって、効果的に塵埃を捕捉することが可能となる。また、ファンブレード５０の外側端部５０ａの表面粗さより粗くするために、図７し示すように、ディンプル５０ｉの形成によって、ファンブレード５０の外側端部５０ａの表面粗さより粗くしてもよい。
【００５４】
さらに、図８に示すように、室内ファン１６の各ファンブレード５０は回転方向（矢印ｂ方向）に隣あうもの同士で凹凸形状５０ｃが回転方向（矢印ｂ方向）に視てファンブレード５０の長手方向にずれている。
すなわち、室内ファン１６を回転して風を起こすときに凹凸形状５０ｃの凹の部分５０ｅでは空気が抜けて風が起こせない。すなわち、ファンブレード５０の外側端部５０ａに凹凸形状５０ｃを設けることで、室内ファン１６の送風能力を低減させる恐れがある。
【００５５】
しかし、図８の例では、回転方向に隣あうもの同士で凹凸形状５０ｃが回転方向に視てファンブレード５０の長手方向にずれている。そのため、回転する室内ファン１６の１枚目のファンブレード５０の凹の部分５０ｅで風が抜けても、同じ位置に次のファンブレード５０の凸の部分５０ｆがやってくるので、風を起こすことができる。そのため、室内ファン１６の送風能力の低減を抑制することができる。
【００５６】
図８の例では、凹凸形状５０ｃが回転方向に視てファンブレード５０の長手方向に完全にずれている。しかし、これを部分的にずれているようにしてもよい。すなわち、凹凸形状５０ｃを矢印ｂ方向に視て、隣り合うファンブレード５０同士で、凹の部分５０ｅが一部だけ重なっていてもよいし、凸の部分５０ｆが一部だけ重なっていてもよい。この場合であっても、室内ファン１６の送風能力の低減を抑制することができる。
【００５７】
さらに、連続して隣り合うファンブレード５０（例えば、２枚とか３枚とか）では凹凸形状５０ｃがファンブレード５０の長手方向に一致していてよい。そして、次の連続して隣り合うファンブレード５０（例えば、２枚とか３枚とか）になると、凹凸形状５０ｃがファンブレード５０の長手方向にずれているようにしてもよい。この場合であっても、室内ファン１６の送風能力の低減を抑制することができる。
【００５８】
その上、図９に示すように、凹凸形状５０ｃは、凸の部分５０ｆの側部５０ｊにおける先端縁表面５０ｄの面方向がファンブレード５０の長手方向と鋭角又は鈍角をなしている。図９の例では、側部５０ｊにおける先端縁表面５０ｄの面方向がファンブレード５０の長手方向と鋭角θをなしている。
このように構成することで、凸の部分５０ｆの先端上部から視た形状は略ひし形になり、凸の部分５０ｆの側方（ファンブレード５０の長手方向）における幅を拡げて、凸の部分５０ｆの面積を広くすることができる。そのため、凸の部分５０ｆが風を掻く面積を広くすることができるので、室内ファン１６の送風能力の低減を抑制することができる。
【００５９】
また、図１０に示すように、ファン清掃部２４ｂは、その先端２４ａ１が凹凸形状５０ｃにおける凹の部分５０ｅの少なくとも下端（破線ｃで示す）まで届く。これによって、凹凸形状５０ｃで絡め取った塵埃を効果的に除去することができる。
【００６０】
さらに、図１１に示すように、ファン清掃装置２４の支持軸２４ａの両端は、一対の軸受け部材２４ｄにそれぞれ回転自在に軸支されているが、この軸受け部材２４ｄ内には符号ｄで示す遊びがある。
すなわち、この遊びがないと、凹凸形状５０ｃの各部に当接するファン清掃部２４ｂの部分は常に一定となり、経年変化によって、ファン清掃部２４ｂに特定の形状の曲がりが生じてしまって、ファン清掃部２４ｂによるファンブレード５０の清掃効果が低減してしまう。つまりは、ファン清掃装置２４を早期に交換する必要が生じる。
【００６１】
これに対して、軸受け部材２４ｄ内に符号ｄで示す遊びがあると、室内ファン１６の清掃中にファン清掃部２４ｂは支持軸２４ａの軸方向にある程度動く。そのため、凹凸形状５０ｃの各部に当接するファン清掃部２４ｂの部分は常に一定というわけではなくなり、経年変化によって、ファン清掃部２４ｂに特定の形状の曲がりが生じにくい。よって、ファン清掃装置２４を長期に使用できて、早期に交換する可能性が低くなる。
【００６２】
なお、凹凸形状５０ｃは、図５〜図１０に示すような角ばった凹凸形状でなくてもよく、図１２に示すように、波型形状をしていても図５、図６の凹凸形状５０ｃと同様の効果を奏することができる。
この場合に、図１２に示すように、外側端部５０ａ部分の表面にはファンブレード５０の長手方向と略直交する方向を長さ方向とする複数本の凹溝５０ｌが形成されていてもよい。すなわち、この凹溝５０ｌによって、塵埃が引っ掛かり易くなって、塵埃を絡め取り易くなる。
【００６３】
さらに、図４に示すように、室内制御部３１ｂは、回転速度制御部３１ｂ１を備えている。図１５は、回転速度制御部３１ｂ１が実行する処理を説明するフローチャートである。図１５に示すように、係る処理は、Ｓ１０１で示して前記した室内ファン１６を清掃中に行われる（Ｓ１１１のＹｅｓ）。すなわち、室内ファン１６の清掃中には、前記のように室内ファン１６を逆回転させる。室内制御部３１ｂは、この清掃中の室内ファン１６の回転速度を、空調運転時の最低回転速度よりも高速とする（Ｓ１１２）。ここで、「空調運転時」とは、冷房運転、暖房運転、除湿運転等を行っているときである。つまり、これらの運転を行うときに予め設定されている最低回転速度が存在するが、清掃中の室内ファン１６の回転速度を当該速度より高速とする。
このように、清掃中の室内ファン１６の回転速度をある程度高速に保つことで、室内ファン１６回転時に凹凸形状５０ｃが風を切るときに発生する風切り音及び室内ファン１６がファン清掃部２４ｂに接触することで発生する断続音を抑制することができる。
【００６４】
また、室内ファン１６を逆回転させることによって、室内機Ｕｉ（図２参照）の内部で、正回転時（図４参照）とは逆向きの緩やかな空気の流れが生じる。したがって、室内ファン１６から除去された塵埃ｊが空気吹出口ｈ４（図２参照）には向かわず、図１４Ａに示すように、前側室内熱交換器１５ａと室内ファン１６との間の隙間を介して、露受皿１８に導かれる。
【００６５】
より詳しく説明すると、ファン清掃部２４ｂによって室内ファン１６から除去された塵埃ｊが、風圧で前側室内熱交換器１５ａに軽く押し付けられる。さらに、前記した塵埃ｊは、前側室内熱交換器１５ａの傾斜面（フィンｆの縁）に沿って、露受皿１８に落下する（図１４Ａの矢印を参照）。したがって、室内ファン１６と露受皿１８との間の微少な隙間を介して、上下風向板２３（図２参照）の裏面に塵埃ｊが付着することは、ほとんどない。これによって、次回の空調運転中に塵埃ｊが室内に吹き出されることを防止できる。
なお、室内ファン１６から除去された塵埃ｊの一部が、露受皿１８に落下せずに、前側室内熱交換器１５ａに付着する可能性もある。このように前側室内熱交換器１５ａに付着した塵埃ｊは、後記するステップＳ１０３の処理で洗い流される。
【００６６】
図１３のステップＳ１０１の処理が終わった後、ステップＳ１０２において制御部３０は、ファン清掃装置２４を移動させる。すなわち、制御部３０は、ファン清掃部２４ｂの先端が室内ファン１６に臨んだ状態（図１４Ａ参照）から、支持軸２４ａを中心にファン清掃部２４ｂを９０°回動させ、ファン清掃部２４ｂの先端が略鉛直下方を向くようにする（図１４Ｂ参照）。
次に、ステップＳ１０３において制御部３０は、室内熱交換器１５の凍結・解凍を順次に行う。まず、制御部３０は、室内熱交換器１５を蒸発器として機能させ、室内機Ｕｉに取り込まれた空気に含まれる水分を室内熱交換器１５に着霜させて凍結させる。
【００６７】
室内熱交換器１５を凍結させているとき、制御部３０は、室内熱交換器１５に流入する冷媒の蒸発温度を低くすることが好ましい。すなわち、制御部３０は、室内熱交換器１５を蒸発器として機能させ、この室内熱交換器１５を凍結（凝縮水を付着）させているとき、通常の空調運転時よりも冷媒の蒸発温度が低くなるように、室内熱交換器１５に流入する冷媒の圧力を調整する。
例えば、制御部３０は、膨張弁１４（図１参照）の開度を小さくすることによって、低圧で蒸発温度が低い冷媒を室内熱交換器１５に流入させる。これによって、室内熱交換器１５で霜や氷（図１４Ｂに示す符号ｉ）が成長しやすくなるため、その後の解凍中、室内熱交換器１５を多量の水で洗い流すことができる。
【００６８】
また、室内熱交換器１５において、ファン清掃装置２４の下方に位置する領域は、室内熱交換器１５を通流する冷媒の流れの下流域ではない（つまり、上流域又は中流域である）ことが好ましい。これによって、少なくともファン清掃装置２４の下方（下側）には、低温の気液二相冷媒が流れるため、室内熱交換器１５に付着する霜や氷の厚さを厚くすることができる。したがって、その後の解凍中、室内熱交換器１５を多量の水で洗い流すことができる。
【００６９】
なお、室内熱交換器１５においてファン清掃装置２４の下方に位置する領域は、ファン清掃装置２４によって室内ファン１６から掻き落とされた塵埃が付着しやすい。そこで、室内熱交換器１５においてファン清掃装置２４の下方に位置する領域に低温の気液二相冷媒を流すことで、霜や氷が成長しやすくなり、さらに、これらの霜や氷を溶かすことで室内熱交換器１５の塵埃を適切に洗い流すことができる。
【００７０】
また、室内熱交換器１５を蒸発器として機能させ、この室内熱交換器１５を凍結（凝縮水を付着）させているとき、制御部３０は、上下風向板２３（図２参照）を閉じるか、又は、上下風向板２３の角度を水平よりも上向きにすることが好ましい。これによって、室内熱交換器１５で冷やされた低温の空気が室内に漏れ出ることを抑制し、ユーザにとって快適な状態で室内熱交換器１５の凍結等を行うことができる。
【００７１】
このようにして室内熱交換器１５を凍結（図１３のＳ１０３）させた後、制御部３０は、室内熱交換器１５を解凍する（Ｓ１０３）。例えば、制御部３０は、各機器の停止状態を維持することで、室内熱交換器１５を室温で自然解凍させる。なお、制御部３０が暖房運転又は送風運転を行うことによって、室内熱交換器１５に付着した霜や氷を溶かすようにしてもよい。
図１４Ｂは、室内熱交換器１５の解凍中の状態を示す説明図である。室内熱交換器１５が解凍されることで、室内熱交換器１５に付着した霜や氷が溶け、フィンｆを伝って露受皿１８に多量の水ｗが流れ落ちる。これによって、空調運転中に室内熱交換器１５に付着した塵埃ｊを洗い流すことができる。
【００７２】
また、ファン清掃部２４ｂによる室内ファン１６の清掃に伴って、前側室内熱交換器１５ａに付着した塵埃ｊも一緒に洗い流され、露受皿１８に流れ落ちる（図１４Ｂの矢印を参照）。このようにして露受皿１８に流れ落ちた水ｗは、室内ファン１６の清掃中に露受皿１８に直接的に落下した塵埃ｊ（図１４Ａ参照）とともに、ドレンホース（図示せず）を介して外部に排出される。解凍中に室内熱交換器１５から多量の水が流れ落ちる、ドレンホース等（図示せず）が塵埃ｊで詰まるおそれはほとんどない。
なお、図１３では省略しているが、室内熱交換器１５の凍結・解凍（Ｓ１０３）を行った後、制御部３０が暖房運転又は送風運転を行うことで、室内機Ｕｉの内部を乾燥させてもよい。これによって、室内熱交換器１５等に菌が繁殖することを抑制できる。
【００７３】
本実施例によれば、ファン清掃装置２４によって室内ファン１６が清掃されるため（図１３のＳ１０１）、室内に塵埃ｊが吹き出されることを抑制できる。また、前側室内熱交換器１５ａと室内ファン１６との間にファン清掃装置２４が配置されるため、室内ファン１６からファン清掃部２４ｂで掻き落とされた塵埃ｊを露受皿１８に導くことができる。
また、室内ファン１６の清掃中、制御部３０は、室内ファン１６を逆回転させる。これによって、前記した塵埃ｊが空気吹出口ｈ４に向かうことを防止できる。
【００７４】
ちなみに、室内ファン１６に多量の塵埃が付着すると、場合によっては、冷房運転中、室内ファン１６の性能低下を補うように空気の吹出温度が低くされて、室内への露垂れが生じる可能性がある。これに対して本実施例では、前記したように、室内ファン１６が適切に清掃されるため、塵埃の付着に伴う室内ファン１６の風量低下が抑制される。したがって、本実施例によれば、室内ファン１６の塵埃に起因する露垂れを防止できる。
【００７５】
また、制御部３０が室内熱交換器１５の凍結・解凍を順次に行うことで（図１３のＳ１０３）、室内熱交換器１５に付着していた塵埃ｊが水ｗで洗い流され、露受皿１８に流れ落ちる。このように本実施例によれば、室内ファン１６を清潔な状態にすることができるとともに、室内熱交換器１５も清潔な状態にすることができる。したがって、空気調和機１００によって、快適な空調を行うことができる。また、室内熱交換器１５や室内ファン１６の清掃に要するユーザの手間やメンテナンス時の出費を低減できる。
【００７６】
以上、本発明に係る空気調和機１００について実施例で説明したが、本発明はこれらの記載に限定されるものではなく、種々の変更を行うことができる。
図１６は、本実施例の変形例に係る空気調和機の室内機ＵＡｉの縦断面図である。図１６に示す変形例では、縦断面視で凹状を呈する溝部材Ｍが、前側室内熱交換器１５ａの下方に設置されている。また、溝部材Ｍの底面から上側に延びるリブ２８が、溝部材Ｍに設置されている。なお、その他の点については実施例と同様である。
【００７７】
図１６に示す溝部材Ｍにおいて、リブ２８の前側の部分は、室内熱交換器１５の凝縮水を受ける露受部１８Ａとして機能する。また、溝部材Ｍにおいて、リブ２８の後側の部分は、室内熱交換器１５や室内ファン１６から落下した塵埃を受ける塵埃受け部２９として機能する。この塵埃受け部２９は、室内熱交換器１５の下方に配置されている。
【００７８】
さらに、ファン清掃部２４ｂの下方には、室内熱交換器１５（前側室内熱交換器１５ａの下部）が存在しているとともに、塵埃受け部２９も存在している。より詳しく説明すると、図示は省略するが、ファン清掃部２４ｂが室内ファン１６に接触した状態での接触位置の下方に、室内熱交換器１５が存在しているとともに、塵埃受け部２９も存在している。このような構成であっても、前記した実施例と同様の効果が奏される。
【００７９】
なお、室内熱交換器１５の解凍時には、露受部１８Ａに水が流れ落ちるとともに、塵埃受け部２９にも水が流れ落ちる。したがって、塵埃受け部２９に溜まった塵埃の排出に支障が生じるおそれはない。
また、図１６に示す例では、リブ２８の上端が前側室内熱交換器１５ａに接触していないが、これに限らない。すなわち、リブ２８の上端が前側室内熱交換器１５ａに接触していてもよい。
【００８０】
図１７は、本実施例の別の変形例に係る空気調和機が備える室内ファン１６及びファン清掃部２４Ａの模式的な斜視図である。図１７に示す変形例では、室内ファン１６の軸方向と平行な方向におけるファン清掃部２４Ａの長さは、室内ファン１６自体の軸方向の長さよりも短い。この点で前記のファン清掃部２４ｂと異なる。その他、図１１と同一符号の部材は、図１１を参照して前記した部材に相当する。そして、室内ファン１６の清掃中、ファン清掃部２４Ａが、室内ファン１６の軸方向（室内機の正面から見て左右方向）に移動するようになっている。つまり、室内ファン１６の軸方向において、ファン清掃部２４Ａの長さに相当する所定領域ごとに、室内ファン１６が順次に清掃されるようになっている。このように、その長さが比較的短いファン清掃部２４Ａを移動させる構成にすることで、前記の実施例に比べて、空気調和機の製造コストを削減できる。
【００８１】
なお、支持軸２４ａと平行に延びる棒（図示せず）をファン清掃部２４Ａの付近（例えば、支持軸２４ａの上側）に設け、所定の移動機構（図示せず）が、この棒に沿ってファン清掃部２４Ａを移動させるようにしてもよい。また、ファン清掃部２４Ａによる清掃後、移動機構（図示せず）がファン清掃部２４Ａを適宜に回動又は平行移動させ、ファン清掃部２４Ａを室内ファン１６から退避させるようにしてもよい。
【００８２】
前記実施例では、制御部３０が、ファン清掃装置２４を室内ファン１６に接触させ、通常の空調運転時とは逆向きに室内ファン１６を回転（逆回転）させる処理について説明したが、これに限らない。すなわち、制御部３０が、ファン清掃装置２４を室内ファン１６に接触させ、通常の空調運転時と同一の向きに室内ファン１６を回転（正回転）させるようにしてもよい。
このように室内ファン１６にファン清掃部２４ｂを接触させて、室内ファン１６を正回転させることで、ファンブレード５０の腹の先端付近に付着した塵埃が効果的に除去される。また、室内ファン１６を逆回転させるための回路素子が不要になるため、空気調和機１００の製造コストを削減できる。
【００８３】
また、前記実施例では、ファン清掃装置２４の支持軸２４ａを中心にファン清掃部２４ｂが回動する構成について説明したが、これに限らない。例えば、室内ファン１６を清掃する際には、制御部３０が、支持軸２４ａを室内ファン１６の方に移動させ、ファン清掃部２４ｂを室内ファン１６に接触させるようにしてもよい。そして、室内ファン１６の清掃終了後は、制御部３０が、支持軸２４ａを退避させ、ファン清掃部２４ｂを室内ファン１６から離間させるようにしてもよい。
【００８４】
また、前記実施例では、室内熱交換器１５において、ファン清掃装置２４の下方に位置する領域が、冷媒の流れの下流域ではない構成について説明したが、これに限らない。例えば、室内熱交換器１５において、その高さがファン清掃装置２４よりも高い領域が、室内熱交換器１５を通流する冷媒の流れの下流域ではない（つまり、上流域又は中流域である）という構成であってもよい。より詳しく説明すると、前側室内熱交換器１５ａにおいて、通常の空調運転時に空気の流れの下流側に位置する領域であって、その高さがファン清掃装置２４よりも高い領域は、室内熱交換器１５を通流する冷媒の流れの下流域ではないことが好ましい。このような構成によれば、前側室内熱交換器１５ａにおいて通常の空調運転時に空気の流れの下流側に位置する領域（図２に示す前側室内熱交換器１５ａの紙面右部）であって、その高さがファン清掃装置２４よりも高い領域には、室内熱交換器１５の凍結に伴って、厚さが厚い霜が付着する。そして、その後に室内熱交換器１５を解凍させると、フィンｆを伝って多量の水が流れ落ちる。その結果、室内熱交換器１５に付着した塵埃（室内ファン１６から除去された塵埃を含む）を露受皿１８に洗い落とすことができる。
【００８５】
また、前記実施例では室内熱交換器１５の凍結等によって、室内熱交換器１５を洗浄する処理について説明したが、これに限らない。例えば、室内熱交換器１５を結露させ、その結露水（凝縮水）で室内熱交換器１５を洗浄するようにしてもよい。例えば、制御部３０は、室内空気の温度及び相対湿に基づいて、室内空気の露点を算出する。そして、制御部３０は、室内熱交換器１５の温度が、前記した露点以下であり、かつ、所定の凍結温度よりも高くなるように、膨張弁１４の開度等を制御する。
前記した「凍結温度」とは、室内空気の温度を低下させたとき、室内空気に含まれる水分が、室内熱交換器１５で凍結し始める温度である。このように室内熱交換器１５を結露させることによって、その結露水（凝縮水）で室内熱交換器１５の塵埃を洗い落とすことができる。
また、制御部３０が、冷房運転や除湿運転を行うことによって、室内熱交換器１５を結露させ、その結露水（凝縮水）で室内熱交換器１５を洗浄するようにしてもよい。
【００８６】
また、前記実施例（図２参照）では、ファン清掃装置２４の下方に室内熱交換器１５及び露受皿１８が存在する構成について説明したが、これに限らない。すなわち、ファン清掃装置２４の下方に、室内熱交換器１５及び露受皿１８のうち少なくとも一方が存在している構成であってもよい。例えば、縦断面視で＜字状を呈する室内熱交換器１５の下部が鉛直方向に延びている構成において、ファン清掃装置２４の下方（真下）に露受皿１８が存在していてもよい。
また、本実施例（図２参照）では、ファン清掃装置２４を室内熱交換器１５と室内ファン１６との間に配置する構成について説明したが、これに限らない。すなわち、ファン清掃装置２４を吹出風路ｈ３に配置してもよい。
【００８７】
また、実施例では、室内機Ｕｉ（図１参照）及び室外機Ｕｏ（同図参照）が一台ずつ設けられる構成について説明したが、これに限らない。すなわち、並列接続された複数台の室内機を設けてもよいし、また、並列接続された複数台の室外機を設けてもよい。
また、実施例では、壁掛型の空気調和機１００について説明したが、他の種類の空気調和機にも適用することが可能である。
【００８８】
また、各実施例は本発明を分かりやすく説明するために詳細に記載したものであり、必ずしも説明した全ての構成を備えるものに限定されない。また、各実施例の構成の一部について、他の構成の追加・削除・置換をすることが可能である。
また、前記した機構や構成は説明上必要と考えられるものを示しており、製品上必ずしも全ての機構や構成を示しているとは限らない。
【符号の説明】
【００８９】
１２    室外空気熱交換器
１６    室内ファン
２４ｂ  ファン清掃部
２４ｄ  軸受け部材（軸受け部）
３１ｂ１  回転速度制御部
５０    ファンブレード
５０ａ  外側端部
５０ｃ  凹凸形状
５０ｄ  先端縁表面
５０ｅ  凹の部分
５０ｆ  凸の部分
５０ｇ  角部
５０ｉ  ディンプル
５０ｊ  側部
１００  空気調和機
ｂ      回転方向
ａ      ファンブレードの長手方向
ｃ      下端
θ      鋭角
ｄ      遊び（所定距離）
【要約】
空気調和機は、室内熱交換器と、室内ファンと、室内熱交換器の下方に配置される露受皿と、室内熱交換器と室内ファンとの間に配置され、室内ファンを清掃するファン清掃部（２４ｂ）とを備えている。室内ファンのファンブレード（５０）のファン清掃部（２４ｂ）と接触する外側端部（５０ａ）は、先端が凹凸している凹凸形状（５０ｃ）が長手方向に連続的に形成されている。【図１】
0006563156.tif 000002
【図２】
0006563156.tif 000003
【図３】
0006563156.tif 000004
【図４】
0006563156.tif 000005
【図５】
0006563156.tif 000006
【図６】
0006563156.tif 000007
【図７】
0006563156.tif 000008
【図８】
0006563156.tif 000009
【図９】
0006563156.tif 000010
【図１０】
0006563156.tif 000011
【図１１】
0006563156.tif 000012
【図１２】
0006563156.tif 000013
【図１３】
0006563156.tif 000014
【図１４Ａ】
0006563156.tif 000015
【図１４Ｂ】
0006563156.tif 000016
【図１５】
0006563156.tif 000017
【図１６】
0006563156.tif 000018
【図１７】
0006563156.tif 000019